(57)【要約】【課題】コストを低減しつつ、実物を用いた計器の質感や立体感に近い表示を実現可能なグラフィックメータを提供する。【解決手段】制御部は、一方側及び他方側の照度センサ６１Ｌ、６１Ｒが計測した照度に基づいて、表示部１１１に計器の反射光（ハイライト５１、５２、５３）及び陰影５４、５５、５６の少なくとも一方を変更させる。【選択図】図７
2015072205.tif 000002
【特許請求の範囲】
【請求項１】
車両に搭載されるグラフィックメータであって、
所定の視認方向から視認されるように、前記車両に関する計器を表示する表示部と、
光の照度を計測する少なくとも２つの照度センサと、
前記表示部及び前記照度センサが設けられた筐体と、
前記表示部及び前記照度センサに接続された制御部と、
を備え、
前記照度センサは、前記視認方向から視た場合に、前記表示部に対して一方側及び他方側それぞれに配置されており、
一方側の前記照度センサは、前記一方側から一方側の前記照度センサに向かう外来光の少なくとも一部が前記筐体の一部分によって遮られる位置に配置されており、
他方側の前記照度センサは、前記他方側から他方側の前記照度センサに向かう外来光の少なくとも一部が前記筐体の他の一部分によって遮られる位置に配置されており、
前記制御部は、一方側及び他方側の前記照度センサが計測した照度に基づいて、前記表示部に前記計器の反射光及び陰影の少なくとも一方を変更させる、
ことを特徴とするグラフィックメータ。
【請求項２】
前記筐体の一部分及び他の一部分が、見返し板である、
ことを特徴とする請求項１に記載のグラフィックメータ。
【請求項３】
前記制御部は、仮想空間内における前記照度センサに対応する位置に配置した仮想光源の光の強さを、前記照度センサが計測した照度に基づいて変更することにより、前記表示部に前記計器の反射光及び陰影の少なくとも一方を変更させる、
ことを特徴とする請求項１又は２に記載のグラフィックメータ。
【発明の詳細な説明】
【技術分野】
【０００１】
本発明は、車両に搭載されるグラフィックメータに関する。
【背景技術】
【０００２】
従来、車両用のメータユニットとしては、物理的に指針を動かして車速、エンジン回転速度等の車両の状態を示す情報を表示するアナログメータや、数値や文字のデジタル表示により情報を表示するデジタルメータが知られている。
【０００３】
また、近年では、任意の画像をグラフィック表示可能な液晶表示パネル等を用いて、３次元コンピュータグラフィックスにより仮想的なメータ（計器）の画像を表示するグラフィックメータも提供されている（例えば特許文献１参照。）。
【先行技術文献】
【特許文献】
【０００４】
【特許文献１】特開２０１０−５８６３３号公報
【発明の概要】
【発明が解決しようとする課題】
【０００５】
特許文献１のグラフィックメータは、実物の計器（即ち、アナログメータの計器。）の質感や立体感などを再現することを目的として提供されたものである。特許文献１のグラフィックメータでは、仮想空間内に仮想的な計器を配置し、当該計器に仮想光源から仮想的な光を照射して、計器の枠部に反射光や陰影を形成させて、それを仮想視点から視た画像を車両の表示装置に表示する。また、特許文献１のグラフィックメータでは、車両外部の前後左右に設置された複数の広角カメラを太陽光の到来方向を検出するためのセンサとして利用し、これらセンサからの情報を反映してグラフィック表示の反射光や陰影の表示態様を変化させる。
【０００６】
しかしながら、特許文献１のグラフィックメータでは、車両上の様々な箇所に分散して配置された複数の広角カメラと、車室内のインストルメントパネルに配置されたグラフィックメータの本体とを配線して接続する必要がある。この場合、信号ケーブルや接続用のコネクタなどの部品を多数用意しなければならないため、製造コストが嵩む。また、配線量が多くなると取り付けやメンテナンスなどの作業が煩雑なるため、作業コストが嵩む。
【０００７】
また、特許文献１のグラフィックメータでは車両外部に設けられた複数の広角カメラからの情報を総合して外来光の到来方向を検出しているが、これらの広角カメラの代わりに指向性を有する単一のセンサを用いることも考えられる。しかしながら、指向性を有するセンサを用いるとコストが嵩む。
【０００８】
本発明は、上述した事情に鑑みてなされたものであり、その目的は、コストを低減しつつ、実物を用いた計器の質感や立体感に近い表示を実現可能なグラフィックメータを提供することにある。
【課題を解決するための手段】
【０００９】
本発明に係る上記目的は、下記構成のグラフィックメータにより達成される。
（１）  車両に搭載されるグラフィックメータであって、
所定の視認方向から視認されるように、前記車両に関する計器を表示する表示部と、
光の照度を計測する少なくとも２つの照度センサと、
前記表示部及び前記照度センサが設けられた筐体と、
前記表示部及び前記照度センサに接続された制御部と、
を備え、
前記照度センサは、前記視認方向から視た場合に、前記表示部に対して一方側及び他方側それぞれに配置されており、
一方側の前記照度センサは、前記一方側から一方側の前記照度センサに向かう外来光の少なくとも一部が前記筐体の一部分によって遮られる位置に配置されており、
他方側の前記照度センサは、前記他方側から他方側の前記照度センサに向かう外来光の少なくとも一部が前記筐体の他の一部分によって遮られる位置に配置されており、
前記制御部は、一方側及び他方側の前記照度センサが計測した照度に基づいて、前記表示部に前記計器の反射光及び陰影の少なくとも一方を変更させる。
（２）  上記（１）のグラフィックメータであって、
前記筐体の一部分及び他の一部分が、見返し板である。
（３）  上記（１）又は（２）のグラフィックメータであって、
前記制御部は、仮想空間内における前記照度センサに対応する位置に配置した仮想光源の光の強さを、前記照度センサが計測した照度に基づいて変更することにより、前記表示部に前記計器の反射光及び陰影の少なくとも一方を変更させる。
【００１０】
上記（１）のグラフィックメータでは、外来光の到来方向の違いに対応して、一方側の照度センサ又は他方側の照度センサに向かう外来光が筐体の一部分によって遮光される。このため、外来光の到来方向に応じて照度センサが計測する照度に違いが生じ、この違いに基づいて外来光の到来方向が識別される。そして、照度センサが計測した照度に基づいて（即ち、識別した外来光の到来方向に基づいて。）、表示部に表示される計器の反射光又は陰影が変化する。これにより、実物を用いた計器の質感や立体感に近い表示を実現できる。また、上記（１）のグラフィックメータによれば、表示部の近傍に配置されたセンサにより外来光の到来方向を識別できるので、センサをグラフィックメータの本体から離れた場所に配置する必要がなく、配線量を削減できる。また、筐体の構造を利用して外来光の到来方向を識別するので、指向性を有するセンサを用いる必要がなく、コストを低減できる。したがって、上記（１）のグラフィックメータによれば、コストを低減しつつ、実物を用いた計器の質感や立体感に近い表示を実現できる。
上記（２）のグラフィックメータによれば、視認性の低下を防止するために筐体に備えられる見返し板を外来光の到来方向の識別に利用するので、特別な部材を追加する必要がなく、コストを低減できる。
上記（３）のグラフィックメータによれば、仮想光源の光の強さを変更して計器の反射光及び陰影を変更することにより、実物を用いた計器の質感や立体感に近い表示を実現できる。
【発明の効果】
【００１１】
本発明のグラフィックメータによれば、コストを低減しつつ、実物を用いた計器の質感や立体感に近い表示を実現可能なグラフィックメータを提供できる。
【００１２】
以上、本発明について簡潔に説明した。更に、以下に説明される発明を実施するための最良の形態を添付の図面を参照して通読することにより、本発明の詳細は更に明確化されるであろう。
【図面の簡単な説明】
【００１３】
【図１】図１は、グラフィックメータのハードウェアの構成例を示すブロック図である。
【図２】図２は、表示部のグラフィック表示領域を示す図である。
【図３】図３は、図２のＩＩＩ−ＩＩＩ線における配置を示す説明図である。
【図４】図４は、実光源とグラフィックメータ中の計器との関係を示す平面図である。
【図５】図５は、仮想空間内で想定される仮想計器及び仮想光源の位置関係を表す斜視図である。
【図６】図６は、仮想空間内で想定される仮想計器及び仮想光源からの外来光の位置関係を表す平面図である。
【図７】図７は、仮想光源からの外来光の影響を反映するようにグラフィック表示により描画された計器の外観の具体例を示す正面図であり、図７（ａ）は左側から外来光が到来している場合を、図７（ｂ）は右側から外来光が到来している場合をそれぞれ示している。
【図８】図８は、主要な制御の内容を示すフローチャートである。
【発明を実施するための形態】
【００１４】
本発明に係るグラフィックメータの具体的な実施形態について、図１〜図８を参照しながら以下に説明する。
【００１５】
本実施形態に係るグラフィックメータ１００は、自動車等の車両に搭載されて用いられるメータユニットであり、運転者が視認できるように車室内のインストルメントパネルに設置される。
【００１６】
まず、グラフィックメータ１００の各部の構成について説明する。図１は、グラフィックメータ１００の電気回路の構成例を示すブロック図である。図１に示すように、グラフィックメータ１００は、制御部（マイクロコンピュータ、ＣＰＵ：Central Processing Unit）１０１、読み出し専用メモリ（ＥＥＰＲＯＭ：Electrically Erasable Programmable Read Only Memory）１０２、インタフェース１０３、インタフェース１０４（取得部）、ＣＰＵ電源部１０５、グラフィックコントローラ１０６、フレームメモリ１０７、Ｘドライバ１０８、Ｙドライバ１０９、ＬＣＤ（Liquid Crystal Display）電源部１１０、表示部（液晶表示器、ＴＦＴ−ＬＣＤ：Thin Film Transistor Liquid Crystal Display）１１１、照度センサ６１Ｌ、照度センサ６１Ｒ、及び信号処理部６２を備えている。
【００１７】
制御部１０１は、例えばマイクロコンピュータであり、予め用意された読み出し専用メモリに保持された動作プログラムを実行し、グラフィックメータ１００の機能を実現するために必要な様々な処理を行う。例えば、制御部１０１は、後述する図８のフローチャートに示す処理を行う。また、制御部１０１は、各種データを一時記憶するためのＲＡＭ（Random Access Memory）、Ａ／Ｄ（アナログ／デジタル）変換部１０１ａ等を内蔵している。
【００１８】
読み出し専用メモリ１０２は、例えばＥＥＰＲＯＭであり、制御部１０１が実行する動作プログラムの内容や、後述するハイライト５１、５２、５３や陰影５４、５５、５６を表示するための表示データ等、種々の固定データを保持している。
【００１９】
インタフェース１０３は、車両側のイグニッションスイッチの状態を表す信号（ＩＧＮ＋）を制御部１０１に入力する。
【００２０】
インタフェース１０４、制御部１０１と車両側の各種制御装置（ＥＣＵ：Electric Control Unit）との間で、ＣＡＮ（Controller Area Network）規格による通信を行うために利用される。具体的には、走行速度、過給圧力値、燃料残量等の車両の各種状態量の現在値を表すデータが、ほぼリアルタイムのデータとして車両側からインタフェース１０４を介して制御部１０１に入力される。
【００２１】
例えば、インタフェース１０４は、車両が所定量移動する毎に当該車両側に搭載された速度センサから出力される車速パルス信号を受け付け、現在の車両の走行速度の値を表す走行速度情報として制御部１０１に出力する。また、インタフェース１０４は、燃料センサによって検出された燃料量の情報を受け付け、制御部１０１に出力する。また、インタフェース１０４は、過給機により内燃機関へ強制的に送り込まれる圧縮された空気の圧力を検出する圧力センサから出力される過給圧力値の現在値を表す信号を受け付け、現在の過給圧力値を表す過給圧力情報として制御部１０１に出力する。
【００２２】
ＣＰＵ電源部１０５は、車両側のプラス側電源ライン（＋Ｂ）から供給される直流電力を入力して制御部１０１の動作に必要な直流電圧（Ｖｃｃ）を生成する。また、必要に応じてリセット信号を生成したり、制御部１０１から出力されるスリープ信号に従って電力供給を抑制するための動作も行う。
【００２３】
表示部１１１は、例えばＴＦＴ−ＬＣＤである液晶表示器により構成されており、液晶デバイスにより構成された多数の微小表示セルをＸ方向及びＹ方向に並べて配置されたカラーの２次元表示画面を有している。表示部１１１は、多数の微小表示セルの表示状態をセル毎に個別に制御することにより、２次元表示画面上に図形、文字、画像等の所望の情報をグラフィック表示することができる画像表示式の表示器である。なお、表示部１１１としては、ＣＲＴ（Cathode Ray Tube）ディスプレイ、有機ＥＬ（Electroluminescence）ディスプレイ、ＰＤＰ（Plasma Display Panel）ディスプレイ等を用いても構わない。
【００２４】
表示部１１１のグラフィック表示領域１１１ａのＹ方向の走査位置は、Ｙドライバ１０９の出力により順次に切り替わる。Ｙドライバ１０９は、グラフィックコントローラ１０６から出力される垂直同期信号に同期して、Ｙ方向の走査位置を順次に切り替える。
【００２５】
Ｘドライバ１０８は、グラフィックコントローラ１０６から出力される水平同期信号に同期して、表示部１１１の表示画面のＸ方向の走査位置を順次に切り替える。また、Ｘドライバ１０８は、グラフィックコントローラ１０６から出力されるＲＧＢ各色の画像データを走査位置の表示セルに与えて画面中の表示内容を制御する。
【００２６】
グラフィックコントローラ１０６は、制御部１０１から入力される様々な命令にしたがって、様々なグラフィック要素を表示部１１１の画面上に表示する。実際には、画素毎の表示内容を保持するフレームメモリ１０７に対して、制御部１０１又はグラフィックコントローラ１０６が表示データを書き込み、グラフィックの描画を行う。また、グラフィックコントローラ１０６は、表示部１１１の画面を２次元走査するための垂直同期信号及び水平同期信号を生成し、これらの同期信号に同期したタイミングでフレームメモリ１０７上の該当するアドレスに格納されている表示データを表示部１１１に与える。
【００２７】
ＬＣＤ電源部１１０は、車両側のプラス側電源ライン（＋Ｂ）から供給される直流電力を入力して、表示部１１１の表示に必要とされる所定の直流電力を生成する。
【００２８】
照度センサ６１Ｌ及び照度センサ６１Ｒは、例えばフォトダイオードにより構成され、受光した光の強度に比例して電圧又は電流が変化する電気信号を出力する。また、照度センサ６１Ｌ及び照度センサ６１Ｒは、表示部１１１に近い位置に、互いに離間した状態で配置されている。具体的な配置については後述する。
【００２９】
照度センサ６１Ｌ及び照度センサ６１Ｒが出力する電気信号は、図１に示すようにそれぞれ信号処理部６２で増幅されて制御部１０１のＡ／Ｄ変換部１０１ａに印加される。したがって、制御部１０１は照度センサ６１Ｌが受光した光の強度（照度）を表す情報と、照度センサ６１Ｒが受光した光の強度を表す情報とをそれぞれ取得することができる。
【００３０】
図２は、表示部１１１のグラフィック表示領域１１１ａを示す図である。表示部１１１は、図２に示すグラフィック表示領域１１１ａが運転者から視認されるように（即ち、所定の視認方向から視認されるように）配置されている。グラフィック表示領域１１１ａは、表示される領域がそれぞれ異なる、第１の表示領域３１、第２の表示領域３２、及び第３の表示領域３３を有している。
【００３１】
第１の表示領域３１は、現在の車両の走行速度を表示するための領域である。第１の表示領域３１には、速度計２５として、環状の枠体３５と指針３６とが表示される。枠体３５はその内側に配置された目盛りを有しており、枠体３５の一部は速度スケールとしても機能する。指針３６は、その先端により枠体３５上の速度スケールとして機能する部分を指し示すことで、現在の車両の走行速度を指示する。また、本実施形態に係るグラフィックメータ１００では、枠体３５の一部分にハイライト５１が施されている。ハイライト５１は、実物に光源からの光が入射して表面で反射した場合に視認される光源の鏡像を模した表示要素であり、ハイライト５１を施す部分を他の部分よりも明るく表示することにより描画されている（図７も参照されたい。）。ハイライト５１は、枠体３５上の任意の位置に表示され、実物を用いた質感や立体感に近い計器の表示の実現を図るために用いられる。図２に示す例では、ハイライト５１の表示位置は、枠体３５の中心Ｃ１（基準位置）に対して真上及び真下である。また、指針３６の近傍に指針３６の陰影５４が表示されている。実物の計器の場合には、指針が文字板の面から少し浮いた状態で配置されるので、外来光が入射すると指針の影が文字板上に投影される。陰影５４は、このような実物の計器における影と同様の像をグラフィック表示により再現するために表示されている。図２に示す例では、陰影５４の表示位置は指針３６に対して真下である。
【００３２】
第２の表示領域３２は、現在の過給圧力値の呈示量を表示するための領域である。第２の表示領域３２には、ブースト計２９として、枠体３７及び指針３８が表示される。枠体３７はその内側に配置された目盛りを有しており、枠体３７の一部は圧力値スケールとしても機能する。指針３８は、その先端により枠体３７上の圧力値スケールとして機能する部分を指し示すことで、現在の過給圧力値を指示する。また、枠体３７の一部分にはハイライト５２が施されており、指針３８の近傍に指針３８の陰影５５が表示されている。図２に示す例では、ハイライト５２の表示位置は、枠体３７の中心Ｃ２（基準位置）に対して真上及び真下であり、陰影５５の表示位置は指針３８に対して真下である。
【００３３】
第３の表示領域３３は、現在の燃料残量を表示するための領域である。第３の表示領域３３には、燃料計２７として、枠体４２と燃料スケール４１と指針４０とが表示される。燃料スケール４１及び指針４０は枠体４２の内部に配置され、指針４０は、燃料スケール４１上の一部を指し示すことで、現在の燃料残量を指示する。また、枠体４２の一部分にはハイライト５３が施されており、指針４０の近傍には指針４０の陰影５６が表示されている。図２に示す例では、ハイライト５３の表示位置は、枠体４２の中心Ｃ３（基準位置）に対して真上及び真下であり、陰影５６の表示位置は指針４０に対して真下である。
【００３４】
図２に示すように、グラフィック表示領域１１１ａの周囲には、グラフィック表示領域１１１ａを取り囲むように見返し板１０が配置されている。この見返し板１０は、運転中の視認性の低下を防止するために備えられる部材であり、グラフィックメータ１００を収容する筐体（図示せず。）の一部を構成して、グラフィック表示領域１１１ａから垂直に（即ち、前方に。）延設されている。
【００３５】
図３は、図２のＩＩＩ−ＩＩＩ線における配置を示す説明図である。図２及び図３に示すように、表示部１１１（グラフィック表示領域１１１ａ）に対して図２及び図３中の左側（一方側）に照度センサ６１Ｌ（一方側の照度センサ）が配置され、右側（他方側）に照度センサ６１Ｒ（他方側の照度センサ）が配置されている。また、照度センサ６１Ｌの左側には見返し板１０のうちの左側部（以下、見返し板１０Ｌという。）が配置され、照度センサ６１Ｒの右側には見返し板１０の内の右側部（以下、見返し板１０Ｒという。）が配置されている。
【００３６】
図４は、実光源である太陽とグラフィックメータ１００との位置関係の一例を示す図である。図４に示す例では、見返し板１０Ｌより左寄りの位置に実光源７１が存在し、この実光源７１から外来光７２が到来する場合を想定している。
【００３７】
図４に示す外来光７２は、右側の照度センサ６１Ｒにはそのまま入射する。しかし、見返し板１０Ｌが外来光７２を遮光するので、照度センサ６１Ｌの受光面には外来光７２がほとんど届かない。
【００３８】
また、図示は省略するが、図４に示す例とは逆に、見返し板１０Ｒよりも右寄りの位置に太陽等の実光源７１が存在し、この実光源７１から外来光７２が到来する場合には、左側の照度センサ６１Ｌには外来光７２がそのまま入射する。しかし、見返し板１０Ｒが外来光７２を遮光するので、照度センサ６１Ｒの受光面には外来光７２がほとんど届かない。
【００３９】
即ち、照度センサ６１Ｌ（一方側の照度センサ）は、左側（一方側）から照度センサ６１Ｌに向かう外来光の少なくとも一部が見返し板１０Ｌ（筐体の一部分）によって遮られる位置に配置されており、照度センサ６１Ｒ（他方側の照度センサ）は、右側（他方側）から照度センサ６１Ｒに向かう外来光の少なくとも一部が見返し板１０Ｒ（筐体の一部分）によって遮られる位置に配置されている。
【００４０】
つまり、左側の照度センサ６１Ｌの受光強度が右側の照度センサ６１Ｒの受光強度と比べて著しく小さい場合は、図４に示すように外来光７２が左方向から到来していることを意味する。逆に、左側の照度センサ６１Ｌの受光強度が右側の照度センサ６１Ｒの受光強度と比べて著しく大きい場合は、外来光７２が右方向から到来していることを意味する。また、左側の照度センサ６１Ｌの受光強度と右側の照度センサ６１Ｒの受光強度とが同等である場合には、表示面に対して中央方向から外来光が到来していることを意味する。したがって、制御部１０１は照度センサ６１Ｌ及び照度センサ６１Ｒから出力される電気信号のレベルを各々取得してこれらを比較することにより、外来光の到来方向について、少なくとも３種類の方向（左寄り、中央、右寄り）の中から識別することができる。
【００４１】
図５は、仮想空間内で想定される仮想計器及び仮想光源の位置関係を表す斜視図である。図６は、仮想空間内で想定される仮想計器及び仮想光源からの外来光の位置関係を表す平面図である。図７は、仮想光源からの外来光の影響を反映するようにグラフィック表示により描画された計器の外観の具体例を示す正面図であり、図７（ａ）は左側から外来光が到来している場合を、図７（ｂ）は右側から外来光が到来している場合をそれぞれ示している。
【００４２】
グラフィック描画により仮想的に表示される計器については、グラフィック表示領域１１１ａの平面上に表示されるので、この画面に実際に外来光が入射した場合であっても、実際の計器の場合と同じような反射光や陰影が計器の像の中に直接現れることはない。したがって、実際の計器と同じような自然な反射光や陰影を再現するためには、特別なグラフィック処理により反射光や陰影を描画する必要がある。また、実際の計器における反射光や陰影は外来光の到来方向に応じて変化するので、仮想計器上に反射光や陰影を描画する際には、外来光の到来方向を表示に反映させることが好ましい。
【００４３】
グラフィックの描画により反射光や陰影を再現する場合には、特定の場所に仮想光源が存在するものと仮定し、この仮想光源から到来する外来光の影響を計算し、反射光や陰影を形成する位置や形状を決定することができる。
【００４４】
前述のように、制御部１０１は、照度センサ６１Ｌ及び照度センサ６１Ｒが出力する電気信号に基づいて外来光の到来方向を識別できるので、例えば図５及び図６に示す２つの仮想光源８２、８３のいずれの位置が実際の光源の位置に近いかを識別できる。したがって、制御部１０１は、照度センサ６１Ｌ及び照度センサ６１Ｒの出力に基づいて、仮想光源の位置を選択し、選択した仮想光源から到来する仮想外来光を用いて、適切な反射光や陰影の表示態様を決定できる。
【００４５】
実際には、時間の経過に伴って光源の位置に変化が生じる。また、自車両の進行方向の変化などに伴って車両と光源との相対的な位置関係も変化するので、外来光の到来方向が変化する。本実施形態のグラフィックメータ１００では、このような光源位置及び外来光の到来方向の変化を、照度センサ６１Ｌ及び照度センサ６１Ｒを用いて検出できるので、この変化を表示する反射光や陰影の状態に適切に反映させることができる。
【００４６】
例えば、図５及び図６に示す仮想光源８２の位置に光源が存在することを仮定した場合には、左寄りの仮想光源８２の位置から仮想計器８１に斜め方向に入射する仮想外来光８２ａの影響を考慮して、反射光や陰影の表示態様を決定する。そして、例えば図７（ａ）に示すように反射光や陰影を仮想計器８１上に描画する。図７（ａ）では、図２に示した通常時と比較して、ハイライト５１、５２、５３が枠体３５、３７、４２の中心Ｃ１、Ｃ２、Ｃ３に対して左側に表示されている。また、陰影５４、５５、５６が指針３６、３８、４０に対して右下側に表示されている。これにより、図７（ａ）に示す表示では、外来光が左側から入射していることを表現している。
【００４７】
一方、図５及び図６に示す仮想光源８３の位置に光源が存在することを仮定した場合には、右寄りの仮想光源８３の位置から仮想計器８１に斜め方向に入射する仮想外来光の影響を考慮して、反射光や陰影の表示態様を決定する。そして、例えば図７（ｂ）に示すように反射光や陰影を仮想計器８１上に描画する。図７（ｂ）では、図２に示した通常時と比較して、ハイライト５１、５２、５３が枠体３５、３７、４２の中心Ｃ１、Ｃ２、Ｃ３に対して右側に表示されている。また、陰影５４、５５、５６が指針３６、３８、４０に対して左下側に表示されている。これにより、図７（ｂ）に示す表示では、外来光が右側から入射していることを表現している。
【００４８】
図８は、制御部１０１における主要な制御の内容を示す図である。図８に示した制御の内容について以下に説明する。
【００４９】
ステップＳ１１では、制御部１０１は、グラフィックメータ１００上の各計器の表示に必要な最新の車両の情報を取得する。即ち、制御部１０１は、自車両の走行速度、エンジン回転速度、燃料残量、ハンドル舵角等のデータを、車両側からインタフェース１０４を介して取得する。
【００５０】
ステップＳ１２では、制御部１０１は、２つの照度センサ６１Ｌ及び照度センサ６１Ｒがそれぞれ出力する電気信号を信号処理部６２を介して入力し、サンプリングした電圧をデジタル信号に変換して各センサ位置における外来光の受光強度（照度）を取得する。
【００５１】
ステップＳ１３では、制御部１０１は、ステップＳ１２で取得した各センサ位置の受光強度に基づいて、仮想光源の明るさを算出する。例えば、照度センサ６１Ｒの受光強度が照度センサ６１Ｌと比べて著しく大きい場合は、図６のように左寄りの仮想光源８２の位置に実際の光源が存在すると仮定し、仮想光源８３の明るさは０とし、仮想光源８２の明るさを照度センサ６１Ｒの受光強度に応じて決定する。
【００５２】
ステップＳ１４では、制御部１０１は、ステップＳ１１で取得した各車両情報に基づき、速度計２５、燃料計２７、ブースト計２９等の各計器の内容を表示するために必要な各指針、スケールなどを構成するグラフィックオブジェクト（表示用のデータ等）を適切に加工（拡大／縮小、回転、移動等）する。
【００５３】
ステップＳ１５では、制御部１０１は、グラフィック表示領域１１１ａ上に、ステップＳ１４で加工した各グラフィックオブジェクトを用いて各計器を描画すると共に、３次元コンピュータグラフィックス（３ＤＣＧ）の技術を適用して、２次元画像が立体的に見えるように、反射光や陰影も描画する。例えば、枠体３５、３７、４２のそれぞれに対して必要な箇所にハイライト５１、５２、５３を描画する。具体的には、物体の表面の質感を表現するためのテクスチャと呼ばれる画像を所定の領域に貼り付けて適切なハイライト５１、５２、５３を枠体３５、３７、４２上に描画する。この際、ステップＳ１３で決定した仮想光源の位置に基づいて、テクスチャを回転させ、仮想光源の明るさに応じた輝度に調整してから貼り付けることで、より現実に近い質感を再現できる。また、指針３６、３８、４０の近傍における所定の位置に陰影５４、５５、５６を描画する。
【００５４】
ステップＳ１６では、制御部１０１は、表示処理を終了するべきか否かを識別する。例えば、制御部１０１は、イグニッションスイッチがオフになった場合に表示処理を終了する。表示処理を終了しない場合には、制御部１０１は再度ステップＳ１１の処理を実行する。
【００５５】
以上説明したグラフィックメータ１００の作用及び効果を説明する。
グラフィックメータ１００によれば、表示部１１１の画面近傍に設置した複数の照度センサ６１Ｌ及び照度センサ６１Ｒを用いて外来光の到来方向を検出して、当該検出結果に基づいて計器における反射光及び陰影の表示態様を変更できる。したがって、太陽等の実光源の方向を検出するためのセンサをグラフィックメータ１００の本体から離れた場所に設置する必要がなく、センサの配線や設置に伴う製品コストや作業コストの上昇を抑制することができる。
【００５６】
また、筐体の構造を利用して外来光の到来方向を識別するので、指向性を有するセンサを用いる必要がなく、コストを低減できる。この結果、コストを低減しつつ、実物を用いた計器の質感や立体感に近い表示を実現できる。
【００５７】
以下では、実施形態に係るグラフィックメータ１００の特徴を簡潔に纏めて列記する。
（１）グラフィックメータ１００は、車両に搭載される。グラフィックメータ１００は、所定の視認方向から視認されるように、前記車両に関する計器（速度計２５、燃料計２７、ブースト計２９）を表示する表示部１１１と、光の照度を計測する少なくとも２つの照度センサ６１Ｌ、６１Ｒと、前記表示部１１１及び前記照度センサ６１Ｌ、６１Ｒが設けられた筐体と、前記表示部１１１及び前記照度センサ６１Ｌ、６１Ｒに接続された制御部１０１と、を備える。前記照度センサ６１Ｌ、６１Ｒは、前記視認方向から視た場合に、前記表示部１１１に対して一方側（左側）及び他方側（右側）それぞれに配置されている。一方側の前記照度センサ６１Ｌは、前記一方側から一方側の前記照度センサ６１Ｌに向かう外来光の少なくとも一部が見返し板１０Ｌ（前記筐体の一部分）によって遮られる位置に配置されている。他方側の前記照度センサ６１Ｒは、前記他方側から他方側の前記照度センサ６１Ｒに向かう外来光の少なくとも一部が見返し板１０Ｒ（前記筐体の他の一部分）によって遮られる位置に配置されている。前記制御部１０１は、一方側及び他方側の前記照度センサ６１Ｌ、６１Ｒが計測した照度に基づいて、前記表示部１１１に前記計器（速度計２５、燃料計２７、ブースト計２９）の反射光（ハイライト５１、５２、５３）及び陰影５４、５５、５６の少なくとも一方を変更させる。
（２）グラフィックメータ１００では、前記筐体の一部分及び他の一部分が、見返し板１０である。
（３）グラフィックメータ１００では、前記制御部１０１は、仮想空間内における前記照度センサ６１Ｌ、６１Ｒに対応する位置に配置した仮想光源８２、８３の光の強さを、前記照度センサ６１Ｌ、６１Ｒが計測した照度に基づいて変更することにより、前記表示部１１１に前記計器（速度計２５、燃料計２７、ブースト計２９）の反射光（ハイライト５１、５２、５３）及び陰影５４、５５、５６の少なくとも一方を変更させる。
【００５８】
なお、本発明の技術的範囲は、上述した実施形態に限定されるものではない。上述した実施形態は、本発明の技術的範囲内で種々の変形や改良等を伴うことができる。
【００５９】
例えば、上記実施形態においては、２つの照度センサ６１Ｌ及び６１Ｒの検出状態に基づき、外来光について左方向、中央方向、及び右方向の３種類の方向を識別する場合を想定している。しかし、外来光の到来方向については、３種類より多い方向を識別することも可能である。例えば、図４に示す状況において、実光源７１の位置が少しずつ右方向に移動すると、照度センサ６１Ｌの受光強度が少しずつ上昇する。したがって、照度センサ６１Ｌの受光強度と照度センサ６１Ｒの受光強度とを比較する際に、様々な閾値を用いて比較することにより、更に多くの方向を識別できる。この場合、識別した方向に対応して、反射光や陰影を計算する際に用いる仮想光源８２の位置を様々な位置に変更して計算することができる。また、この場合、検出感度を向上するために、表示部１１１の左右両側に２つ以上の照度センサを左右方向に並べて配置することも考えられる。
【００６０】
また、上記実施形態においては、筐体の一部である見返し板１０によって外来光の一部が遮光される構成としたが、筐体における見返し板１０以外の部分によって遮光される構成としても構わない。例えば、照度センサ６１Ｌに向かう外来光の一部を遮光するための遮光部として、見返し板１０以外の筐体の一部を前方に突出させる構成としてもよい。
【００６１】
なお、上記実施形態では、計器の描画を行う度に、仮想光源の位置（方向）や外来光の強度に基づき計算を行って適切な反射光や陰影の表示パターンを生成している。しかし、例えばリング状の枠体３５に付加する陰影のように、表示パターンの種類がある程度限定されている場合には、該当する全ての表示パターンの画像データを予め不揮発性メモリやＲＯＭに保持しておくことが可能である。その場合は、照度センサ６１Ｌ及び６１Ｒの出力に基づき検出した外来光の方向から、対応する１つの表示パターンを選択して画面に貼り付けるだけで、簡単に陰影を描画することができる。
【符号の説明】
【００６２】
１０  見返し板
１０Ｌ  見返し板（筐体の一部分）
１０Ｒ  見返し板（筐体の他の一部分）
２５  速度計（計器）
２７  燃料計（計器）
２９  ブースト計（計器）
３６、３８、４０  指針
５１、５２、５３  ハイライト
５４、５５、５６  陰影
６１Ｌ、６１Ｒ  照度センサ
６２  信号処理部
７１  実光源
７２  外来光
８１  仮想計器
８２、８３  仮想光源
８２ａ  仮想外来光
１００  グラフィックメータ
１０１  制御部
１０１ａ  Ａ／Ｄ変換部
１０２  読み出し専用メモリ
１０３、１０４  インタフェース
１０５  ＣＰＵ電源部
１０６  グラフィックコントローラ
１０７  フレームメモリ
１０８  Ｘドライバ
１０９  Ｙドライバ
１１０  ＬＣＤ電源部
１１１  表示部
１１１ａ  グラフィック表示領域
【図１】
2015072205.tif 000003
【図２】
2015072205.tif 000004
【図３】
2015072205.tif 000005
【図４】
2015072205.tif 000006
【図５】
2015072205.tif 000007
【図６】
2015072205.tif 000008
【図７】
2015072205.tif 000009
【図８】
2015072205.tif 000010